【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
管理対象装置を有する管理対象体を複数の利用者間で共同利用するための管理を行う管理サーバを備え、前記管理対象体と前記管理サーバと端末とは相互に通信可能であるロック管理システムであって、
前記管理対象装置は、
前記端末とBluetooth（登録商標）通信を行う管理対象ＢＴ通信部と、
前記管理サーバと無線通信する管理対象通信部と、
前記端末に関する照合をする管理対象制御部と、
を有し、
前記端末は、
前記管理対象体とBluetooth（登録商標）通信を行う端末ＢＴ通信部と、
前記管理サーバと無線通信する端末通信部と、
前記端末の位置情報を取得する位置情報取得部と、
を有し、
前記管理サーバは、
前記管理対象通信部、前記端末通信部と無線通信するサーバ通信部と、
前記端末ＢＴ通信部を識別する第１端末ＢＴ識別符号と、前記端末を識別する第１端末識別符号と、前記管理対象体の予約時間情報と、前記管理対象体の位置情報が記憶される利用者情報テーブルと、
前記利用者情報テーブルに基づいて、前記管理対象体の共同利用のための管理を行うサーバ制御部と、
を有し、
前記端末は、前記利用者が前記管理対象体を利用するための予約情報を前記管理サーバに送信し、
前記管理サーバは、前記利用者情報テーブルに記憶された前記予約情報及び前記管理対象体の位置情報を前記端末に送信し、
前記端末は、
前記位置情報取得部により取得された前記端末の位置情報と、前記管理対象体の位置情報とに基づいて、前記端末と前記管理対象体との距離を算出し、前記距離に基づいて、前記管理対象装置と通信するためのメッセージを送信し、
前記端末と前記管理対象装置とのコネクションが確立した後に、前記管理対象ＢＴ通信部を識別する管理対象ＢＴ識別符号を取得し、前記端末ＢＴ通信部を識別する第２端末ＢＴ識別符号を前記管理対象装置に送信し、
前記管理対象装置は、受信した前記第２端末ＢＴ識別符号を前記管理サーバに送信し、
前記サーバ制御部は、受信した前記第２端末ＢＴ識別符号と前記利用者情報テーブルに記憶されている前記第１端末ＢＴ識別符号とを照合し、照合結果が一致の場合に前記第１端末ＢＴ識別符号と関連づけられた前記第１端末識別符号を前記管理対象装置に送信し、
前記管理対象制御部は、受信した前記第１端末識別符号に基づいて、前記管理対象体に対してロックの解錠の指示をすることを特徴とするロック管理システム。
【請求項２】
請求項１記載のロック管理システムであって、
前記利用者情報テーブルには、前記端末ＢＴ通信部を識別する第３端末ＢＴ識別符号が記録され、
前記管理対象装置は、前記管理対象体の予約時間情報が記憶される利用者情報記憶部を有し、
前記サーバ制御部は、前記第１端末ＢＴ識別符号と前記第２端末ＢＴ識別符号との照合結果が一致の場合に前記第１端末識別符号及び前記第３端末ＢＴ識別符号を前記管理対象装置に送信し、
前記管理対象制御部は、前記端末を識別する第２端末識別符号及び前記端末ＢＴ通信部を識別する第４端末ＢＴ識別符号の送信を前記端末に要求し、
前記端末は、前記管理対象装置に前記第２端末識別符号及び前記第４端末ＢＴ識別符号を送信し、
前記管理対象制御部は、受信した前記第１端末識別符号と受信した前記第２端末識別符号とを照合し、受信した前記第３端末ＢＴ識別符号と受信した前記第４端末ＢＴ識別符号とを照合し、且つ、受信した前記第２端末識別符号と受信した前記第４端末ＢＴ識別符号の受信時刻と前記予約時間情報とを照合し、各照合結果が一致の場合に前記管理対象体に対してロックの解錠の指示をすることを特徴とするロック管理システム。
【請求項３】
請求項１又は２記載のロック管理システムであって、
前記予約時間情報は、前記端末又は他の端末から登録されることを特徴とするロック管理システム。
【請求項４】
請求項１〜３のいずれか１項に記載のロック管理システムであって、
前記管理対象装置は、パケットをブロードキャストし、
前記端末は、前記位置情報取得部による前記端末と前記管理対象体との距離の算出の代わりに、前記端末ＢＴ通信部が前記パケットを受信し、前記パケットに基づいて前記端末と前記管理対象体との距離を算出することを特徴とするロック管理システム。
【請求項５】
請求項１〜４のいずれか１項に記載のロック管理システムであって、
前記の前記端末と前記管理対象体との前記距離の算出結果に基づいて、利用者に情報を知らせることを特徴とするロック管理システム。
【請求項６】
請求項１〜５のいずれか１項に記載のロック管理システムであって、
前記管理対象体が住宅である場合には、前記ロックは前記住宅のドアロックであり、
前記管理対象体が駐車場である場合には、前記ロックは前記駐車場のロック板であり、
前記管理対象体が車両である場合には、前記ロックは前記車両のドアロックであることを特徴とするロック管理システム。
【手続補正２】
【補正対象書類名】明細書
【補正対象項目名】００１０
【補正方法】変更
【補正の内容】
【００１０】
本発明に係るロック管理システムは、管理対象装置を有する管理対象体を複数の利用者間で共同利用するための管理を行う管理サーバを備え、前記管理対象体と前記管理サーバと端末とは相互に通信可能であるロック管理システムであって、前記管理対象装置は、前記端末とBluetooth（登録商標）通信を行う管理対象ＢＴ通信部と、前記管理サーバと無線通信する管理対象通信部と、前記端末に関する照合をする管理対象制御部と、を有し、前記端末は、前記管理対象体とBluetooth（登録商標）通信を行う端末ＢＴ通信部と、前記管理サーバと無線通信する端末通信部と、前記端末の位置情報を取得する位置情報取得部と、を有し、前記管理サーバは、前記管理対象通信部、前記端末通信部と無線通信するサーバ通信部と、前記端末ＢＴ通信部を識別する第１端末ＢＴ識別符号と、前記端末を識別する第１端末識別符号と、前記管理対象体の予約時間情報と、前記管理対象体の位置情報が記憶される利用者情報テーブルと、前記利用者情報テーブルに基づいて、前記管理対象体の共同利用のための管理を行うサーバ制御部と、を有し、前記端末は、前記利用者が前記管理対象体を利用するための予約情報を前記管理サーバに送信し、前記管理サーバは、前記利用者情報テーブルに記憶された前記予約情報及び前記管理対象体の位置情報を前記端末に送信し、前記端末は、前記位置情報取得部により取得された前記端末の位置情報と、前記管理対象体の位置情報とに基づいて、前記端末と前記管理対象体との距離を算出し、前記距離に基づいて、前記管理対象装置と通信するためのメッセージを送信し、前記端末と前記管理対象装置とのコネクションが確立した後に、前記管理対象ＢＴ通信部を識別する管理対象ＢＴ識別符号を取得し、前記端末ＢＴ通信部を識別する第２端末ＢＴ識別符号を前記管理対象装置に送信し、前記管理対象装置は、受信した前記第２端末ＢＴ識別符号を前記管理サーバに送信し、前記サーバ制御部は、受信した前記第２端末ＢＴ識別符号と前記利用者情報テーブルに記憶されている前記第１端末ＢＴ識別符号とを照合し、照合結果が一致の場合に前記第１端末ＢＴ識別符号と関連づけられた前記第１端末識別符号を前記管理対象装置に送信し、前記管理対象制御部は、受信した前記第１端末識別符号に基づいて、前記管理対象体に対してロックの解錠の指示をすることを特徴とする。